(57)【要約】【課題】  デザイン性を向上させたコードパターンを実現すること。【解決手段】  コードパターン画像データ２１（ＱＲコード（登録商標）のコードパターン画像データ）から０パーセント以上かつ１００パーセントより低い第１の透過率のコードパターン半透明画像データ２３が生成され、重畳用画像データ２２から０パーセント以上かつ１００パーセントより低い第２の透過率の重畳用半透明画像データ２４が生成される。そして、コードパターン半透明画像データ２３および重畳用半透明画像データ２４に基づいて、第１の透過率のコードパターンと第２の透過率の重畳用画像とを重畳させた合成画像の合成画像データ２５が生成される。【選択図】  図１
2010182336.tif 000002
【特許請求の範囲】
【請求項１】
ＱＲコード（登録商標）のコードパターンの画像データから当該コードパターンの画像データの透過率が０パーセント以上かつ１００パーセントより低い範囲内であって、単体でデコード可能である範囲で調整された上記コードパターンの画像データを生成する第１の画像半透明化部と、
文字、図形、ロゴ、イラストのいずれかを含む重畳用画像の画像データから当該重畳用画像の画像データの透過率が０パーセント以上かつ１００パーセントより低い上記重畳用画像の画像データを生成する第２の画像半透明化部と、
上記第１の画像半透明化部により生成された上記コードパターンの画像データおよび上記第２の画像半透明化部により生成された上記重畳用画像の画像データとから合成画像の画像データを生成する画像合成部と、を備え、
上記画像合成部により生成された合成画像の画像データは、上記重畳用画像に含まれる文字、図形、ロゴ、イラストのいずれかと上記コードパターンとが重なる部分、および上記重畳用画像に含まれる文字、図形、ロゴ、イラストのいずれかと上記コードパターン以外の部分とが重なる部分を有するように、かつ上記コードパターン中に上記重畳用画像に含まれる文字、図形、ロゴ、イラストのいずれかと重ならない部分を有し、
当該合成画像の画像データ内に含まれる上記コードパターンからデコード可能で、かつ当該画像データ内に含まれる文字、図形、ロゴ、イラストのいずれかは、上記コードパターンの略中心に配置されている
ことを特徴とするコードパターン画像データ生成装置。
【請求項２】
請求項１のコードパターン画像データ生成装置であって、
前記合成画像の背景色は、白色であり、
前記コードパターンは、モノクロ画像であり、
前記重畳用画像は、カラー画像であること、
を特徴とするコードパターン画像データ生成装置。
【請求項３】
請求項１または２に記載のコードパターン画像データ生成装置によって生成された前記合成画像の画像データに基づき印刷された前記合成画像を表面に有することを特徴とするコードパターン付媒体。
【請求項４】
ＱＲコード（登録商標）のコードパターンの画像と、文字、図形、ロゴ、イラストのいずれかを含む重畳用画像とを重ね合わせた状態の合成画像を媒体に印刷したコードパターン付媒体において、
上記コードパターンの領域以外に上記重畳用画像と同じものを意味する表示がなされ、
上記重畳用画像の文字、図形、ロゴ、イラストのいずれかを確認できるようにかつ上記コードパターンの略中心に配置し、かつその周辺に上記コードパターンのみが視認されるように上記コードパターンを配置したことを特徴とするコードパターン付媒体。
【請求項５】
請求項４に記載のコードパターン付媒体において、
前記重畳用画像を図形とし、その図形を含む前記媒体に組み合わせる表現物をプリンタにて印刷したものであることを特徴とするコードパターン付媒体。
【発明の詳細な説明】
【技術分野】
【０００１】
本発明は、コードパターン画像データ生成装置、コードパターン付媒体に関するものである。
【背景技術】
【０００２】
近年、ＵＲＬ（Uniform Resource Locator）、電子メールアドレス、またはその他データをエンコードされたＱＲ（Quick Response）コード（登録商標）のコードパターン画像が、商品包装、広告媒体（ポスター、チラシなど）、雑誌に印刷されたり、ウェブページ上で表示されたりしている。
【０００３】
このようなＱＲコード（登録商標）のコードパターンは、所望の情報をエンコードして得られる、通常、白黒の模様である。そして、読取装置は、光学的にそのコードパターンを撮影し、そのコードパターンをデコードして元の情報を抽出する（例えば特許文献１参照）。
【先行技術文献】
【特許文献】
【０００４】
【特許文献１】特開２００４−１３３６８９号公報（発明の実施の形態欄）
【発明の概要】
【発明が解決しようとする課題】
【０００５】
このようなＱＲコード（登録商標）のコードパターンを印刷したり表示したりする場合、良好に読み取られることを考慮して、他の画像、テキストなどから孤立させて印刷されたり表示される。
【０００６】
しかしながら、このようにコードパターンだけを孤立させるため、媒体や表示ページ全体のデザインを損なうことがあったり、無味乾燥な印象を与えたりしてしまう。
【０００７】
本発明は、上記の問題に鑑みてなされたものであり、デザイン性を向上させたコードパターンを実現することができるコードパターン画像データ生成装置、コードパターン付媒体を得ることを目的とする。
【課題を解決するための手段】
【０００８】
上記の課題を解決するために、本発明の実施の形態では以下のようにした。
【０００９】
本発明に係るコードパターン画像データ生成装置は、ＱＲコード（登録商標）のコードパターンの画像データから当該コードパターンの画像データの透過率が０パーセント以上かつ１００パーセントより低い範囲内であって、単体でデコード可能である範囲で調整されたコードパターンの画像データを生成する第１の画像半透明化部と、文字、図形、ロゴ、イラストのいずれかを含む重畳用画像の画像データから当該重畳用画像の画像データの透過率が０パーセント以上かつ１００パーセントより低い重畳用画像の画像データを生成する第２の画像半透明化部と、第１の画像半透明化部により生成されたコードパターンの画像データおよび第２の画像半透明化部により生成された重畳用画像の画像データとから合成画像の画像データを生成する画像合成部と、を備え、画像合成部により生成された合成画像の画像データは、重畳用画像に含まれる文字、図形、ロゴ、イラストのいずれかとコードパターンとが重なる部分、および重畳用画像に含まれる文字、図形、ロゴ、イラストのいずれかとコードパターン以外の部分とが重なる部分を有するように、かつコードパターン中に重畳用画像に含まれる文字、図形、ロゴ、イラストのいずれかと重ならない部分を有し、当該合成画像の画像データ内に含まれるコードパターンからデコード可能で、かつ当該画像データ内に含まれる文字、図形、ロゴ、イラストのいずれかは、コードパターンの略中心に配置されているものである。
【００１０】
また、本発明に係るコードパターン画像データ生成装置は、上述したコードパターン画像データ生成装置に加え、次のようにしてもよい。つまり、この場合、合成画像の背景色は、白色であり、コードパターンは、モノクロ画像であり、重畳用画像は、カラー画像である。
【００１１】
また、本発明に係るコードパターン付媒体は、上述したコードパターン画像データ生成装置によって生成された合成画像の画像データに基づき印刷された合成画像を表面に有するものである。
【００１２】
また、本発明に係るコードパターン付媒体は、ＱＲコード（登録商標）のコードパターンの画像と、文字、図形、ロゴ、イラストのいずれかを含む重畳用画像とを重ね合わせた状態の合成画像を媒体に印刷したコードパターン付媒体において、コードパターンの領域以外に重畳用画像と同じものを意味する表示がなされ、重畳用画像の文字、図形、ロゴ、イラストのいずれかを確認できるようにかつコードパターンの略中心に配置し、かつその周辺にコードパターンのみが視認されるようにコードパターンを配置したものである。
【００１３】
また、本発明に係るコードパターン付媒体は、上述したコードパターン付媒体において、次のようにしてもよい。つまり、この場合、重畳用画像を図形とし、その図形を含む媒体に組み合わせる表現物をプリンタにて印刷したものである。
【００１４】
また、上記の課題を解決するために、本発明の実施の形態では以下のようにしてもよい。
【００１５】
本発明の実施の形態に係るコードパターン画像データ生成装置は、コードパターンの画像データから０パーセントより高くかつ１００パーセントより低い第１の不透明度のコードパターンの画像データを生成する第１の画像半透明化部と、重畳用画像の画像データから０パーセントより高くかつ１００パーセントより低い第２の不透明度の重畳用画像の画像データを生成する第２の画像半透明化部と、第１の不透明度のコードパターンの画像データおよび第２の不透明度の重畳用画像の画像データに基づいて、第１の不透明度のコードパターンと第２の不透明度の重畳用画像とを重畳させた合成画像の画像データを生成する画像合成部とを備える。
【００１６】
これにより、コードパターンをデコード可能としつつ重畳用画像を視認可能とすることができ、デザイン性を向上させたコードパターンを実現することができる。
【００１７】
本発明の実施の形態に係るコードパターン画像データ生成方法は、コードパターンの画像データから０パーセントより高くかつ１００パーセントより低い第１の不透明度のコードパターンの画像データを生成するステップと、重畳用画像の画像データから０パーセントより高くかつ１００パーセントより低い第２の不透明度の重畳用画像の画像データを生成するステップと、第１の不透明度のコードパターンの画像データおよび第２の不透明度の重畳用画像の画像データに基づいて、第１の不透明度のコードパターンと第２の不透明度の重畳用画像とを重畳させた合成画像の画像データを生成するステップとを備える。
【００１８】
これにより、コードパターンをデコード可能としつつ重畳用画像を視認可能とすることができ、デザイン性を向上させたコードパターンを実現することができる。
【００１９】
また、本発明の実施の形態に係るコードパターン画像データ生成方法は、上記のコードパターン画像データ生成方法に加え、次のようにしてもよい。つまり、この場合、第１の不透明度は、コードパターンが単体でデコード可能な範囲内のいずれかの値である。
【００２０】
これにより、合成画像に含まれるコードパターンからのデコードを良好に行えるようにすることができる。
【００２１】
また、本発明の実施の形態に係るコードパターン画像データ生成方法は、上記のコードパターン画像データ生成方法のいずれかに加え、次のようにしてもよい。つまり、この場合、第１の不透明度は、５０パーセントであり、第２の不透明度は、５０パーセント以上でかつ６０パーセント以下のいずれかの値である。
【００２２】
これにより、コードパターンを良好にデコード可能としつつ重畳用画像を良好に視認可能とすることができ、デザイン性を向上させたコードパターンを実現することができる。
【００２３】
また、本発明の実施の形態に係るコードパターン画像データ生成方法は、上記のコードパターン画像データ生成方法のいずれかに加え、次のようにしてもよい。つまり、この場合、合成画像の背景色は、白色であり、コードパターンは、モノクロ画像であり、重畳用画像は、カラー画像である。
【００２４】
これにより、コードパターンを良好にデコード可能としつつ重畳用画像を良好に視認可能とすることができ、デザイン性を向上させたコードパターンを実現することができる。
【００２５】
本発明の実施の形態に係るコードパターン付媒体は、上記のコードパターン画像データ生成方法のいずれかによる合成画像の画像データに基づき合成画像を印刷されたものである。
【００２６】
これにより、コードパターンがデコード可能でありかつ重畳用画像が視認可能であることから、各種媒体上においてデザイン性を向上させるコードパターンを実現することができる。
【００２７】
本発明の実施の形態に係る表示装置は、上記のコードパターン画像データ生成方法のいずれかによる合成画像の画像データを所定の記憶手段から読み出すリード手段と、リード手段により読み出された画像データに基づき合成画像を表示装置に表示させる表示手段とを備える。
【００２８】
これにより、コードパターンがデコード可能でありかつ重畳用画像が視認可能であることから、各種表示ページ上においてデザイン性を向上させるコードパターンを実現することができる。
【００２９】
本発明の実施の形態に係るコンピュータプログラムは、上記のコードパターン画像データ生成方法のいずれかによる合成画像の画像データを所定の記憶手段から読み出すリード手段、およびリード手段により読み出された画像データに基づき合成画像を表示装置に表示させる表示手段としてコンピュータを機能させるためのものである。
【００３０】
これにより、表示装置に表示されたコードパターンがデコード可能でありかつ重畳用画像が視認可能であることから、各種表示ページ上においてデザイン性を向上させるコードパターンを実現することができる。
【００３１】
本発明の実施の形態に係るコンピュータプログラムは、コードパターンの画像データから０パーセントより高くかつ１００パーセントより低い第１の不透明度のコードパターンの画像データを生成する第１の画像半透明化部、重畳用画像の画像データから０パーセントより高くかつ１００パーセントより低い第２の不透明度の重畳用画像の画像データを生成する第２の画像半透明化部、並びに、第１の不透明度のコードパターンの画像データおよび第２の不透明度の重畳用画像の画像データに基づいて、第１の不透明度のコードパターンと第２の不透明度の重畳用画像とを重畳させた合成画像の画像データを生成する画像合成部としてコンピュータを機能させるためのものである。
【００３２】
これにより、コードパターンをデコード可能としつつ重畳用画像を視認可能とすることができ、デザイン性を向上させたコードパターンを実現することができる。
【発明の効果】
【００３３】
本発明によれば、コードパターンをデコード可能としつつ重畳用画像を視認可能とすることができ、デザイン性を向上させたコードパターンを実現することができる。
【図面の簡単な説明】
【００３４】
【図１】図１は、本発明の実施の形態に係るコードパターン画像データ生成装置の構成を示すブロック図である。
【図２】図２は、本発明の実施の形態において使用されるコードパターンと重畳用画像の一例を示す図である。
【図３】図３は、本発明の実施の形態において生成されるコードパターン半透明画像と重畳用半透明画像の一例を示す図である。
【図４】図４は、本発明の実施の形態において生成される合成画像の一例を示す図である。
【図５】図５は、本発明の実施の形態において、合成画像データに基づく画像合成後のコードパターンを印刷された媒体の一例を示す図である。
【図６】図６は、本発明の実施の形態において、合成画像データに基づく合成画像を表示する表示ページの一例を示す図である。
【図７】図７は、ＱＲコード（登録商標）のコードパターンを示す図である。
【発明を実施するための形態】
【００３５】
以下、図に基づいて本発明の実施の形態を説明する。
【００３６】
図１は、本発明の実施の形態に係るコードパターン画像データ生成装置の構成を示すブロック図である。図１において、処理部１は、ハードディスクドライブ、メモリなどといった図示せぬ記録媒体に格納されたコンピュータプログラムを図示せぬＲＡＭにロードして図示せぬＣＰＵで実行することで実現され、各種データ処理を実行する処理部である。
【００３７】
また、データ格納装置２は、ハードディスクドライブ、メモリなどといった記憶手段であって、コンピュータプログラム、画像データを含む各種データなどを格納する装置である。
【００３８】
また、プリンタ３は、各種画像を印刷する印刷装置であり、ディスプレイ４は、各種画像を表示する表示装置である。
【００３９】
処理部１において、画像半透明化部１１は、コードパターン画像データ２１からコードパターン半透明画像データ２３を生成する第１の画像半透明化部、並びに、重畳用画像データ２２から重畳用半透明画像データ２４を生成する第２の画像半透明化部として機能する処理部である。
【００４０】
また、画像合成部１２は、第１の不透明度のコードパターン半透明画像データ２３および第２の不透明度の重畳用半透明画像データ２４に基づいて、第１の不透明度の二次元コードパターンと第２の不透明度の重畳用画像とを重畳させた合成画像を有する合成画像データ２５を生成する処理部である。
【００４１】
また、画像出力部１３は、合成画像データ２５に基づいて、プリンタ３を制御して媒体に合成画像を印刷させたり、ディスプレイ４を制御して合成画像を表示させたりする処理部である。画像出力部１３は、合成画像データ２５を（所定の記憶手段としての）データ格納装置２から読み出すリード手段、およびそのリード手段により読み出された画像データに基づき合成画像を（表示装置としての）ディスプレイ４に表示させる表示手段を含む。
【００４２】
データ格納装置２において、コードパターン画像データ２１は、ＱＲコード（登録商標）といった二次元コードのコードパターンの画像データである。また、重畳用画像データ２２は、文字、図形、ロゴ、イラストなどといった所望の画像の画像データである。
【００４３】
また、コードパターン半透明画像データ２３は、コードパターン画像データ２１のコードパターンを第１の不透明度で半透明にしたコードパターン半透明画像の画像データである。また、重畳用半透明画像データ２４は、重畳用画像データ２２の重畳用画像を第２の不透明度で半透明にした重畳用半透明画像の画像データである。コードパターン半透明画像データ２３は、コードパターン画像データ２１から０パーセントより高くかつ１００パーセントより低い第１の不透明度の二次元コードパターンを有する。コードパターン半透明画像データ２３の二次元コードパターンの模様および色彩とコードパターン画像データ２１の二次元コードパターン模様および色彩は、同一であり、透明度のみが異なる。重畳用半透明画像データ２４は、０パーセントより高くかつ１００パーセントより低い第２の不透明度の重畳用画像を有する。重畳用半透明画像データ２４の二次元コードパターンの模様および色彩と重畳用画像データ２２の二次元コードパターン模様および色彩は、同一であり、透明度のみが異なる。
【００４４】
また、合成画像データ２５は、コードパターン半透明画像データ２３のコードパターン半透明画像と重畳用半透明画像データ２４の重畳用半透明画像とを合成した合成画像の画像データである。
【００４５】
なお、画像データ２１〜２５のデータフォーマットは、例えばＧＩＦ形式、ＰＮＧ形式などとされる。
【００４６】
次に、上記装置の動作について説明する。
【００４７】
まず、データ格納装置２に、コードパターン画像データ２１および重畳用画像データ２２が格納される。コードパターン画像データ２１は、図示せぬエンコーダプログラムにより生成されたコードパターンの画像データとすればよい。そのようなエンコーダプログラムとしては、例えばＱＲコード（登録商標）用のＱＲＭａｋｅｒがある。重畳用画像データ２２は、Ａｄｏｂｅ社製のＰｈｏｔｏＳｈｏｐ、Ｉｌｌｕｓｔｒａｔｏｒなどといった画像作成ソフトウェアにより作成された画像データ、デジタルカメラにより撮像された画像データ、スキャナにより生成された画像データなどの一般的な画像データとされる。
【００４８】
図２は、本発明の実施の形態において使用されるコードパターンと重畳用画像の一例を示す図である。図２（Ａ）は、二次元コードであるＱＲコード（登録商標）のコードパターンの一例を示す。図２（Ｂ）は、「Ｔｏｋｙｏ  Ｓｈｏｗ」なる文字を表した重畳用画像の一例を示す。
【００４９】
そして、処理部１の画像半透明化部１１は、データ格納装置２からコードパターン画像データ２１を読み込み、コードパターン画像データ２１から所定の第１の不透明度の二次元コードパターンを有するコードパターン半透明画像データ２３を生成し、データ格納装置２に記憶させる。このときの第１の不透明度は、０パーセントより高くかつ１００パーセントより低い値とされ、さらに、コードパターンが単体でデコード可能な範囲内のいずれかの値とされる。
【００５０】
次に、処理部１の画像半透明化部１１は、データ格納装置２から重畳用画像データ２２を読み込み、重畳用画像データ２２から所定の第２の不透明度の重畳用画像を有する重畳用半透明画像データ２４を生成し、データ格納装置２に記憶させる。このときの第２の不透明度は、０パーセントより高くかつ１００パーセントより低い値とされる。
【００５１】
また、このとき、第１の不透明度を５０パーセントとし、第２の不透明度を、５０パーセント以上でかつ６０パーセント以下のいずれかの値とすることが好ましい。
【００５２】
図３は、本発明の実施の形態において生成されるコードパターン半透明画像と重畳用半透明画像の一例を示す図である。図３（Ａ）は、図２（Ａ）のコードパターンを半透明化したコードパターン半透明画像を示す。図３（Ｂ）は、図２（Ｂ）の重畳用画像を半透明化した重畳用半透明画像を示す。このときの第１の不透明度は、５０パーセントであり、第２の不透明度は、６０パーセントである。
【００５３】
半透明画像データ２３，２４が生成されると、画像合成部１２は、コードパターン半透明画像データ２３および重畳用半透明画像データ２４をデータ格納装置２から読み出し、これらの半透明画像データ２３，２４に基づいて、半透明の二次元コードパターンと半透明の重畳用画像とを重畳させた合成画像を有する合成画像データ２５を生成し、データ格納装置２に記憶させる。このとき、画像合成部１２は、半透明の二次元コードパターンおよび半透明の重畳用画像のうちのいずれを前面として２つの画像を重畳させてもよい。図４は、本発明の実施の形態において生成される合成画像の一例を示す図である。図４の合成画像は、図３（Ａ）のコードパターン半透明画像と図３（Ｂ）の重畳用半透明画像とを合成したものである。
【００５４】
その後、画像出力部１３は、合成画像データ２５に基づいて、プリンタ３を制御して媒体に合成画像を印刷させたり、ディスプレイ４を制御して合成画像を表示させたりする。
【００５５】
図５は、本発明の実施の形態において、合成画像データ２５に基づく画像合成後のコードパターンを印刷された媒体の一例を示す図である。図５では、チラシとしての媒体１０１の右下隅に、合成画像データ２５に基づく画像合成後のコードパターン１１１が印刷されている。
【００５６】
図６は、本発明の実施の形態において、合成画像データ２５に基づく合成画像を表示する表示ページの一例を示す図である。図６では、ディスプレイ４の表示画面４ａにウィンドウ２１１が表示され、ウィンドウ２１１内の表示ページの右下隅に、合成画像データ２５に基づく画像合成後のコードパターン２１２が表示されている。
【００５７】
このようにして、印刷されたり表示されたりした画像合成後のコードパターン１１１，２１２は、カメラおよびデコーダ付の携帯電話機などにより読み取られる。そして、通常のコードパターンと同様に、エンコードされている情報が抽出される。
【００５８】
ここで、第１の不透明度の設定について説明する。
【００５９】
図７は、ＱＲコード（登録商標）のコードパターンを示す図である。図７（Ａ）は、不透明度１００パーセントのコードパターンであり、図７（Ｂ）は、不透明度５０パーセントのコードパターンであり、図７（Ｃ）は、不透明度４０パーセントのコードパターンであり、図７（Ｄ）は、不透明度３０パーセントのコードパターンであり、図７（Ｅ）は、不透明度２０パーセントのコードパターンであり、図７（Ｆ）は、不透明度１０パーセントのコードパターンである。
【００６０】
ＮＥＣ社製のＮＴＴＤｏＣｏＭｏ用携帯電話機Ｎ９００ｉで、不透明度の異なる、誤り訂正率１５パーセントのコードパターンを読み取り、デコードさせたところ、コードパターンをディスプレイに表示させた場合、不透明度が１００パーセントから２０パーセントまでの範囲内であるときには良好にデコードされ、コードパターンを普通紙にレーザ印刷させた場合、不透明度が１００パーセントから１０パーセントまでの範囲内であるときには良好にデコードされた。
【００６１】
したがって、第１の不透明度は、合成画像データ２５に基づく画像合成後のコードパターンがディスプレイで表示される用途の場合には、２０パーセント以上でかつ１００パーセント未満の値とされ、合成画像データ２５に基づく画像合成後のコードパターンが印刷される用途の場合には、１０パーセント以上でかつ１００パーセント未満の値とされることが好ましい。
【００６２】
以上のように、上記実施の形態によれば、コードパターン画像データ２１から０パーセントより高くかつ１００パーセントより低い第１の不透明度のコードパターン半透明画像データ２３が生成され、重畳用画像データ２２から０パーセントより高くかつ１００パーセントより低い第２の不透明度の重畳用半透明画像データ２４が生成される。そして、コードパターン半透明画像データ２３および重畳用半透明画像データ２４に基づいて、第１の不透明度のコードパターンと第２の不透明度の重畳用画像とを重畳させた合成画像の合成画像データ２５が生成される。
【００６３】
これにより、コードパターンをデコード可能としつつ重畳用画像を視認可能とすることができ、デザイン性を向上させたコードパターンを実現することができる。
【００６４】
また、上記実施の形態によれば、第１の不透明度は、コードパターンが単体でデコード可能な範囲内のいずれかの値である。これにより、合成画像に含まれるコードパターンからのデコードを良好に行えるようにすることができる。
【００６５】
また、上記実施の形態によれば、第１の不透明度を５０パーセントとし、第２の不透明度を５０パーセント以上でかつ６０パーセント以下のいずれかの値とすることが好ましい。これにより、コードパターンを良好にデコード可能としつつ重畳用画像を良好に視認可能とすることができ、デザイン性を向上させたコードパターンを実現することができる。
【００６６】
また、上記実施の形態によれば、合成画像データ２５に基づき画像合成後のコードパターン１１１が媒体１０１に印刷される。これにより、コードパターン１１１がデコード可能でありかつ重畳用画像が視認可能であることから、各種媒体上においてデザイン性を向上させるコードパターンを実現することができる。
【００６７】
また、上記実施の形態によれば、合成画像データ２５に基づき画像合成後のコードパターン２１２がディスプレイ４に表示される。これにより、コードパターン２１２がデコード可能でありかつ重畳用画像が視認可能であることから、各種表示ページ上においてデザイン性を向上させるコードパターンを実現することができる。
【００６８】
なお、コードパターンおよび重畳用画像のいずれかの不透明度が１００パーセントとされると、重畳用画像の視認性が損なわれるか、コードパターンからのデコード可能性が損なわれる。
【００６９】
なお、上述の実施の形態は、本発明の好適な例であるが、本発明は、これらに限定されるものではなく、本発明の要旨を逸脱しない範囲において、種々の変形、変更が可能である。
【００７０】
例えば、上記実施の形態では、コードパターンの一例として、二次元コードであるＱＲコード（登録商標）のコードパターンを挙げているが、その他、他の種類の二次元コード、１次元バーコードなどのコードパターンを採用してもよい。
【００７１】
また、上記実施の形態では、重畳用画像は、紙面上、モノクロ画像となっているが、カラー画像でもよい。その場合、合成画像の背景色は白色とされ、コードパターンはモノクロ画像とされる。合成画像の背景色およびコードパターンが無色彩となり、重畳用画像がカラー画像となることで、重畳用画像の視認性が高まる。
【００７２】
また、上記実施の形態では、コードパターン画像と、重畳用画像とをそれぞれ不透明化して合成するようにしたが、例えば、重畳用画像は用いずに、コードパターン画像のみを不透明化して、プリンタ３によって媒体に印刷したり、ディスプレイ４に表示させたりしてもよい。そのような場合でも、コードパターンの不透明度を調整することにより、従来にはない美観を演出することができる。
【００７３】
また、上記実施の形態では、コードパターン画像および重畳用画像の不透明度（具体的には、例えば、透過率）を調整するようにしたが、例えば、これらの色相、明度、彩度を調整するようにしてもよい。
【００７４】
また、上記実施の形態では、プリンタ３によって印刷される媒体として、例えば、透明または半透明の媒体を使用することも可能である。例えば、アクリル板等の透明部材または磨りガラス等の半透明部材に対して印刷することが可能である。このような媒体を用いることにより、従来にはない美観を演出することができる。
【００７５】
さらに、媒体の印刷が施された部分に対して、コーティング材を塗布することにより、印刷された情報を保護するようにしてもよい。その場合、例えば、コーティング材としては、「フッ化ビニリデン（フィルム）」を用いることができる。フッ化ビニリデンは、交通標識等にも使用されており、１０年以上の耐性を有している。フッ化ビニリデンは、きず、よごれ、いたずら書きに強く、紫外線にも強いという特徴を有している。
【産業上の利用可能性】
【００７６】
本発明は、例えば、ＱＲコード（登録商標）のデザイン性向上に適用可能である。
【符号の説明】
【００７７】
４  ディスプレイ（表示装置）
１１  画像半透明化部（第１の画像半透明化部，第２の画像半透明化部）
１２  画像合成部
１３  画像出力部（リード手段，表示手段）
１０１  媒体（コードパターン付媒体）
【図１】
2010182336.tif 000003
【図２】
2010182336.tif 000004
【図３】
2010182336.tif 000005
【図４】
2010182336.tif 000006
【図５】
2010182336.tif 000007
【図６】
2010182336.tif 000008
【図７】
2010182336.tif 000009